(57)【要約】【課題】本発明は、木の根処理用アタッチメントに関し、従来の処理方法は、ブルドーザ等で掘り起こしてダンプカーで運搬して産業廃棄物として処理しているので、処理作業が大掛かりでコストが嵩むことが課題であって、それを解決することである。【解決手段】作業機のアーム先端に装着部で着脱自在に取付けられるとともに、前記装着部に回転自在に設けられた回転部から垂設された回転軸に直交する方向に延設した粉砕刃で伐採後の根株を処理するアタッチメントにおいて、前記回転軸２の先端部２ａを軸方向で前記粉砕刃５の位置よりも先の位置に延設させ、前記延設された先端部２ａを尖塔状に形成すると共に、該先端部２ａに根株に貫入促進させ且つブレを防止するガイド手段３を設けた木の根処理用アタッチメント１とする。【選択図】図１
2016086764.tif 000002
【特許請求の範囲】
【請求項１】
作業機のアーム先端に装着部で着脱自在に取付けられるとともに、前記装着部に回転自在に設けられた回転部から垂設された回転軸に直交する方向に延設した粉砕刃で伐採後の根株を処理するアタッチメントにおいて、
前記回転軸の先端部を軸方向で前記粉砕刃の位置よりも先の位置に延設させ、
前記延設された先端部を尖塔状に形成すると共に、該先端部に根株に貫入促進させ且つブレを防止するガイド手段を設けたこと、
を特徴とする木の根処理用アタッチメント。
【請求項２】
粉砕刃の回転軸に対する半径方向の端部に、枝根を切断するための枝根用切断刃を前記半径方向に直交させて設けたこと、
を特徴とする請求項１に記載の木の根処理用アタッチメント。
【請求項３】
回転部には、垂設する回転軸の粉砕方向に沿って振動を加えることで、当該回転軸の先端部が根株を切り開き易くすべく、加振装置が設けられていること、
を特徴とする請求項１または２に記載の木の根処理用アタッチメント。
【発明の詳細な説明】
【技術分野】
【０００１】
本発明は、木を伐採した後の根株を処理するため、作業機に着脱自在に取付ける木の根処理用アタッチメントに関するものである。
【背景技術】
【０００２】
従来、立木を伐採して残る根株の後処理として、例えば、従来例１：パワーショベルのバケット，若しくはブルトーザー等を使用して、根こそぎ掘り起こし、その土砂を取り払うために乾燥させてダンプカーに積み込み、運搬して産業廃棄物業者に処理を任せている方法がある。また、従来例２：特許文献１に記載されているように、根株を回転刃で粉砕する方法で、掘跡の縮小と、木屑の粉砕により樹木株切取処理作業の省力化および合理化を図ったものが知られている。
【先行技術文献】
【特許文献】
【０００３】
【特許文献１】実用新案登録第３０５１７７０号公報
【発明の概要】
【発明が解決しようとする課題】
【０００４】
しかし、上記の従来例１では、多くの手間が掛かり、コストが嵩むことが課題である。また、従来例２では、回転刃の寿命が短く、作業能率が期待するほど向上せず、前準備に手間が掛かり、それにより普及しないことが課題である。本発明に係る木の根処理用アタッチメントは、このような課題を解決するために提案されたものである。
【課題を解決するための手段】
【０００５】
本発明に係る木の根処理用アタッチメントの上記課題を解決して目的を達成するための要旨は、作業機のアーム先端に装着部で着脱自在に取付けられるとともに、前記装着部に回転自在に設けられた回転部から垂設された回転軸に直交する方向に延設した粉砕刃で伐採後の根株を処理するアタッチメントにおいて、前記回転軸の先端部を軸方向で前記粉砕刃の位置よりも先の位置に延設させ、前記延設された先端部を尖塔状に形成すると共に、該先端部に根株に貫入促進させ且つブレを防止するガイド手段を設けたことである。
【０００６】
前記粉砕刃の回転軸に対する半径方向の端部に、枝根を切断するための枝根用切断刃を前記半径方向に直交させて設けたことである。
【０００７】
更に、前記回転部には、垂設する回転軸の粉砕方向に沿って振動を加えることで、当該回転軸の先端部が根株を切り開き易くすべく、加振装置が設けられていることを含むものである。
【発明の効果】
【０００８】
本発明の木の根処理用アタッチメントによれば、アタッチメントの中心部にある尖塔状の先端部に設けたガイド手段により、アタッチメントが根株への貫入時に安定してガイドされ、根株を割って開きながら進み粉砕刃で細かく粉砕できる。よって、山の斜面における根株のように、様々な角度に傾斜している根株であっても、当該木の根処理用アタッチメントであれば、粉砕作業が安定し、且つ、確実に根株を粉砕できるとともに、根株を土砂と混合して早期に土へと帰すことができるのである。
【０００９】
更に、前記回転する粉砕刃の端部に、枝根切断用の切断刃が設けられているので、そのまま枝根が切断され、根掘が不要となると言う優れた効果を奏するものである。
【００１０】
更に、回転軸を垂設する回転部には、回転軸にその粉砕方向に沿って振動を加えることで、当該回転軸の先端部が根株を切り開き易くする加振装置が設けられているので、根株の開きが容易となり、且つ、粉砕作業時間が早くなるものである。
【図面の簡単な説明】
【００１１】
【図１】本発明に係る木の根処理用アタッチメント１の正面図である。
【図２】同本発明の木の根処理用アタッチメント１における、粉砕刃５の断面形状を示す側断面図（Ａ），枝根用切断刃８を含めた一部側面図（Ｂ）である。
【図３】同本発明に係る木の根処理用アタッチメント１の一部平面図である。
【図４】同本発明に係る木の根処理用アタッチメント１の使用状態を示す説明図である。
【図５】同本発明に係る木の根処理用アタッチメント１の他の実施例に係る使用状態の正面図である。
【図６】同木の根処理用アタッチメント１の他の実施例に係る平面図である。
【図７】同木の根処理用アタッチメント１の他の実施例に係る一部側面図である。
【発明を実施するための形態】
【００１２】
本発明に係る木の根処理用アタッチメント１は、図１および図５に示すように、当該アタッチメント１の回転軸２の先端部２ａに、ガイド手段である螺旋ガイド部３若しくは三角板ガイド部３ａを設けて、回転軸２の軸が根株４に対して粉砕作業中にブレないようにして、根株４の開きを容易にし、粉砕刃５で粉砕しやすくするものである。
【実施例１】
【００１３】
図１乃至図４に示すように、例えば、掘削等の作業を行う作業機（バックホウ等）のアーム６の先端に、取付孔１ｂを有する装着部１ａを介して着脱自在にピンで取付けられるとともに、前記装着部１ａの下部に設けられた回転部７から垂設された回転軸２に直交する方向に延設された刃である粉砕刃５で伐採後の根株４を処理する、アタッチメント１である。
【００１４】
前記回転軸２の先端部２ａを、軸方向で前記粉砕刃５の位置よりも先の位置に延設させて伸ばしている。そして、前記延設された先端部２ａを尖塔状に形成すると共に、該先端部２ａに、根株４に貫入促進するようにガイドし、且つ、回転軸２の軸がブレないようにするためのガイド手段である、螺旋ガイド部３を設けている。前記螺旋ガイド部３は、回転軸２に、鋼製の螺旋板を溶接等で一体化して形成される。
【００１５】
また、前記粉砕刃５の回転軸２に対する半径方向の端部に、前記根株４の枝根４ａを切断するため、枝根用切断刃８を前記半径方向に直交させて設けている。なお、前記回転部７の回転装置は、例えば、作業機からホースで供給される油圧で回転する油圧モーター等を始めとする回転装置である。
【００１６】
以上の様にして形成されてなる木の根処理用アタッチメント１を使用すれば、図４に示すように、フェラーバンチャー等の伐採装置で立木を伐採した後、残った根株４を粉砕処理を行う。
【００１７】
まず、作業機のアーム６の端部に、木の根処理用アタッチメント１における装着部１ａを、取付孔１ｂにピンを差し込んで、取付ける。作業機の油圧ホースを木の根処理用アタッチメント１のホースに接続する。
【００１８】
そして、作業機のアーム６を根株４の上に持って行き、回転部７の回転装置を回転駆動させる。図４に示すように、回転軸２の先端部２ａを根株４の切り口に当てて、押し込んでいく。回転軸２は、前記先端部２ａのガイド手段の螺旋ガイド部３によって、例えば、山の斜面で伐採された様々な方向に傾いた根株４であっても、その軸がブレずに導かれて行き、根株４を安定して確実に押し開くものである。
【００１９】
前記回転軸２の回転により粉砕刃５が、押し開かれた根株４を粉砕していく。根株４は、地面１０から上の部分は勿論のこと、地面１０の下の根も粉砕される。根株４の根は、幹の大小にかかわらず地面１０に対する深さが、深くても３０ｃｍ程度であり、回転軸２を地面１０に向かって押し込んでいくことで、根株４が前記粉砕刃５で綺麗に粉砕され、土と混ざって早く土に帰るものである。なお、根株４の大きさにより、前記粉砕刃５の半径長さを変えるものである。
【実施例２】
【００２０】
また、図１に示すように、前記粉砕刃５の回転軸２に対する半径方向の端部に、根株４における枝根４ａを切断するための、枝根用切断刃８を前記半径方向に直交させて設けるものである。これにより、前記粉砕刃５で根株４が粉砕されるとともに、図４に示すように、地面１０の下の枝根４ａが切断される。こうして、根株４の根掘が不要となる。
【実施例３】
【００２１】
更に、図１及び図４に示すように、前記回転部７には、垂設する回転軸２の粉砕方向に沿って振動を加えることで、当該回転軸の先端部２ａが根株４を切り開き易くすべく、加振装置９が設けられている。この加振装置９の電源は、装着部１ａに設けられるとともに作業機側から無線装置で遠隔操作される独立の電源バッテリーか、若しくは、作業機側の電源バッテリー及び電線から供給される。これにより、堅い根株４であっても、根株４の開きが容易となって、粉砕作業が早くなるものである。
【実施例４】
【００２２】
このほか、図５乃至図７に示すように、回転軸２の先端部２ａにおけるガイド手段を、底から見ると十字状に見える、三角板ガイド部３ａを組み合わせた尖塔体とするものである。このような形状のガイド手段でも、根株４を容易に押し開いていくものである。当該三角板ガイド部３ａを、低コストで容易に作成することができる。
【実施例５】
【００２３】
また、図５乃至図７に示すように、粉砕刃５ａに枝根用切断刃８ａを一体的に形成するものである。切断刃８ａの取付強度も向上し、粉砕刃５ａに対して溶接等の手段で切断刃８ａを固着させる手間も省けるものである。
【産業上の利用可能性】
【００２４】
本発明に係る木の根処理用アタッチメント１によれば、回転軸２の先端部２ａにガイド手段があるので、回転軸２のブレが無く、安定して根株４を粉砕することができて、根株処理に広く適用できるものである。
【符号の説明】
【００２５】
１          木の根処理用アタッチメント、      １ａ        装着部、
１ｂ        取付孔、
２          回転軸、                          ２ａ        先端部、
３          螺旋ガイド部（ガイド手段）、
３ａ        三角板ガイド部（ガイド手段）、  
４          根株、                            ４ａ        枝根、
５          粉砕刃、                          ５ａ        粉砕刃、    
６          作業機のアーム、
７          回転部、
８，８ａ    枝根用切断刃、
９          加振装置、
１０        地面。
【図１】
2016086764.tif 000003
【図２】
2016086764.tif 000004
【図３】
2016086764.tif 000005
【図４】
2016086764.tif 000006
【図５】
2016086764.tif 000007
【図６】
2016086764.tif 000008
【図７】
2016086764.tif 000009